(57)【特許請求の範囲】
【請求項１】
複数個のコンセントを有し、前記コンセントに接続される電気機器に対して給電遮断機能を具備した配電装置であって、前記コンセントごとに設定された閾値に基づいて前記電気機器への給電を遮断する遮断部と、コンセント単体の電流、電圧、積算電力および瞬時電力とコンセント全体の電流、電圧、積算電力および瞬時電力を測定する計測部とを前記コンセントごとに設け、前記遮断部をコンセントごとに制御する処理部は、前記給電遮断に関するコンセントの優先順位を複数個のコンセントに対して個別に設定変更可能とし、前記計測部により測定されたコンセント単体の電流、電圧、積算電力および瞬時電力の測定データがコンセント単体の閾値以上となった時点でコンセントの給電遮断を実行した上で、前記計測部により測定されたコンセント全体の電流、電圧、積算電力および瞬時電力の測定データがコンセント全体の閾値以上となった時点でコンセントの給電遮断を前記コンセントの優先順位に従って実行することを特徴とする配電装置。
【請求項２】
前記処理部は、コンセントの閾値を複数個のコンセントに対して個別に設定変更可能とした請求項１に記載の配電装置。
【請求項３】
前記処理部は、給電遮断を完了するまでの遮断時間を複数個のコンセントに対して個別にコンセントの閾値に基づいて設定変更可能とした請求項１又は２に記載の配電装置。
【請求項４】
前記処理部は、給電遮断に関するコンセントの優先順位、および給電遮断を完了するまでの遮断時間を含む情報を外部機器との間で送受信可能とした請求項１〜３のいずれか一項に記載の配電装置。
【発明の詳細な説明】
【技術分野】
【０００１】
本発明は、複数個のコンセントを有し、各コンセントに接続される電気機器に対して給電遮断機能を具備した配電装置に関する。
【背景技術】
【０００２】
一般家庭には、配電線が引き込まれた分電盤が設置されている。この種の分電盤は、一般家庭内で各種電気機器が接続される回路ごとにブレーカを内蔵している。この分電盤では、各種電気機器が接続される回路に過電流が流れると、その過電流を検知してブレーカをＯＦＦすることにより回路を開放してその回路に接続された電気機器を保護するようにしている。
【０００３】
しかしながら、ブレーカは各種電気機器が接続される回路ごとに設けられているため、一つのブレーカがＯＦＦされると、その回路に接続された全ての電気機器について一斉に給電が遮断されることになる。これら電気機器の中には、電熱器のように給電が一旦遮断されても復電すれば機能上の問題がなく動作することができるものや、炊飯器などの家電機器やパソコンなどの情報機器のように給電が一旦遮断されると復電しても動作することができず機能上の問題が発生するものがある。
【０００４】
そのため、複数個のコンセントを有し、各コンセントに接続される電気機器に対して給電遮断機能を具備した配電装置が種々提案されている（例えば、特許文献１参照）。この種の配電装置では、複数個のコンセントに接続された電気機器のうちから、給電を遮断する電気機器と給電を遮断しない電気機器を選択できるようにしている。
【０００５】
この特許文献１に開示された配電装置は、複数の電源供給用ポート（コンセント）のうち所定の電源供給用ポートにおける使用電流値を検出する電流検出手段と、この電流検出手段により検出された使用電流値が閾値を超えた時に他の電源供給用ポートの電源供給を遮断する電流制限手段とを具備したものである。この配電装置では、所定の電源供給用ポートに接続された電気機器の使用電流が電流検出手段により検出され、その使用電流値が閾値を超えた時に、電流制限手段により他の電源供給用ポートの電源供給が遮断されるようになっている。
【０００６】
この場合、電流制限手段により電源供給が遮断される電源供給用ポートを選択指定するための選択指定手段を設けることにより、使用者は、選択指定手段により、電源供給が一時的に遮断されても差支えがない電気機器に対しては遮断を許容し、電源供給が遮断されることを望まない電気機器に対しては遮断させずに済ませるようにしている。また、使用電流の閾値を任意に設定するための閾値設定手段を設けることにより、使用者が、使用する電気機器の定格電流等に応じて自在に閾値を設定できるようにしている。
【先行技術文献】
【特許文献】
【０００７】
【特許文献１】特開平６−３０３７０６号公報
【発明の概要】
【発明が解決しようとする課題】
【０００８】
ところで、前述した特許文献１に開示された配電装置では、選択指定手段により、電源供給が一時的に遮断されても差支えがない電気機器に対しては遮断を許容し、電源供給が遮断されることを望まない電気機器に対しては遮断させずに済ませるようにしている。
【０００９】
しかしながら、近年では、一般家庭などで使用される電気機器が多種に亘ることから、特許文献１における配電装置のように給電の遮断の有無を選択するだけでなく、分電盤のブレーカにより全ての電気機器が一斉に給電遮断される前に、電気機器の種別に応じてその電気機器への給電状態を任意に制御できるようにすることが要望されている。
【００１０】
そこで、本発明は前述の要望に鑑みて提案されたもので、その目的とするところは、電気機器の種別に応じてその電気機器への給電状態を任意に制御し得る配電装置を提供することにある。
【課題を解決するための手段】
【００１１】
前述の目的を達成するための技術的手段として、本発明は、複数個のコンセントを有し、そのコンセントに接続される電気機器に対して給電遮断機能を具備した配電装置であって、コンセントごとに設定された閾値に基づいて電気機器への給電を遮断する遮断部と、コンセント単体の電流、電圧、積算電力および瞬時電力とコンセント全体の電流、電圧、積算電力および瞬時電力を測定する計測部とをコンセントごとに設け、遮断部をコンセントごとに制御する処理部は、給電遮断に関するコンセントの優先順位を複数個のコンセントに対して個別に設定変更可能とし、計測部により測定されたコンセント単体の電流、電圧、積算電力および瞬時電力の測定データがコンセント単体の閾値以上となった時点でコンセントの給電遮断を実行した上で、計測部により測定されたコンセント全体の電流、電圧、積算電力および瞬時電力の測定データがコンセント全体の閾値以上となった時点でコンセントの給電遮断をコンセントの優先順位に従って実行することを特徴とする。
【００１２】
本発明では、コンセントごとに設定された閾値に基づいて電気機器への給電を遮断する遮断部と、コンセント単体の電流、電圧、積算電力および瞬時電力とコンセント全体の電流、電圧、積算電力および瞬時電力を測定する計測部とをコンセントごとに設け、遮断部をコンセントごとに制御する処理部は、給電遮断に関するコンセントの優先順位を複数個のコンセントに対して個別に設定変更可能とし、計測部により測定されたコンセント単体の電流、電圧、積算電力および瞬時電力の測定データがコンセント単体の閾値以上となった時点でコンセントの給電遮断を実行した上で、計測部により測定されたコンセント全体の電流、電圧、積算電力および瞬時電力の測定データがコンセント全体の閾値以上となった時点でコンセントの給電遮断をコンセントの優先順位に従って実行することにより、多種に亘る電気機器の種別に応じてその電気機器への給電状態を任意に制御することができ、それぞれのコンセントに接続された各電気機器の種別に合致した最適な給電制御を実現することができる。
【００１３】
本発明における処理部は、コンセントの閾値を複数個のコンセントに対して個別に設定変更可能とした構成が望ましい。このようにすれば、コンセントの閾値についても、それぞれのコンセントに接続された各電気機器の種別に合致した最適制御を実現することができる。
【００１４】
本発明における処理部は、給電遮断を完了するまでの遮断時間を複数個のコンセントに対して個別にコンセントの閾値に基づいて設定変更可能とした構成が望ましい。このようにすれば、コンセントの閾値に基づいて給電遮断を完了するまでの遮断時間についても、それぞれのコンセントに接続された各電気機器の種別に合致した最適制御を実現することができる。
【００１５】
本発明における処理部は、給電遮断に関するコンセントの優先順位、および給電遮断を完了するまでの遮断時間を含む情報を外部機器との間で送受信可能とした構成が望ましい。このようにすれば、給電遮断に関するコンセントの優先順位、および給電遮断を完了するまでの遮断時間を含む各種情報に基づいて、他の配電装置を含む外部機器との相互間で、給電遮断の発生状況を把握することが可能となる。
【発明の効果】
【００１７】
本発明によれば、コンセントごとに設定された閾値に基づいて電気機器への給電を遮断する遮断部と、コンセント単体の電流、電圧、積算電力および瞬時電力とコンセント全体の電流、電圧、積算電力および瞬時電力を測定する計測部とをコンセントごとに設け、遮断部をコンセントごとに制御する処理部は、給電遮断に関するコンセントの優先順位を複数個のコンセントに対して個別に設定変更可能とし、計測部により測定されたコンセント単体の電流、電圧、積算電力および瞬時電力の測定データがコンセント単体の閾値以上となった時点でコンセントの給電遮断を実行した上で、計測部により測定されたコンセント全体の電流、電圧、積算電力および瞬時電力の測定データがコンセント全体の閾値以上となった時点でコンセントの給電遮断をコンセントの優先順位に従って実行することにより、多種に亘る電気機器の種別に応じてその電気機器への給電状態を任意に制御することができ、それぞれのコンセントに接続された各電気機器の種別に合致した最適な給電制御を実現することができる。その結果、使用者は、多種に亘る電気機器をその種別に応じて有効に活用することができてその実用的価値は大きい。
【図面の簡単な説明】
【００１８】
【図１】本発明に係る配電装置の実施形態で、配電装置の内部構成の一例を示すブロック図である。
【図２】本発明に係る配電装置の実施形態で、配電装置の外観の一例を示す斜視図である。
【図３】本発明に係る配電装置の実施形態で、配電装置による給電制御の一例を示すフローチャートである。
【発明を実施するための形態】
【００１９】
本発明に係る配電装置の実施形態について、図１〜図３を参照しながら以下に詳述する。なお、以下の実施形態における配電装置は、一般的にテーブルタップと通称されるものである。
【００２０】
図２は、この実施形態における配電装置の外観の一例を示す。この実施形態における配電装置は、樹脂製の筐体１１を備え、その筐体１１の先端側に位置する円形部１２に複数個のコンセントＡ1〜Ａ4を設けると共に筐体１１の基端側に位置する矩形部１３から電源コード１４を導出した外観を有する。複数個のコンセントＡ1〜Ａ4は、筐体１１の円形部１２の天面円周方向に沿って配設されている。各コンセントＡ1〜Ａ4の内周側には、後述の表示部を構成する発光ダイオード（ＬＥＤ）等のランプＢ1〜Ｂ4が各コンセントＡ1〜Ａ4に対応させて配設されている。また、電源コード１４はその先端にプラグ１５が設けられ、一般家庭内の壁面などに設置されたコンセントに接続可能となっている。なお、この電源コード１４の長さは必要に応じて選定することができて任意である。
【００２１】
図１は、この実施形態における配電装置の内部構成の一例を示す。この実施形態における配電装置は、計測部２１、遮断部２２および表示部２３をコンセントＡ1〜Ａ4ごとに設け、これら計測部２１、遮断部２２および表示部２３を処理部２５で制御する。この処理部２５は、前述の計測部２１、遮断部２２および表示部２３の他、タイマー部２６および通信部２７も制御する。前述の計測部２１、遮断部２２、表示部２３、処理部２５、タイマー部２６および通信部２７は、円形部１２および矩形部１３からなる筐体１１に内蔵されている（図２参照）。
【００２２】
この配電装置は、コンセントＡ1〜Ａ4に接続される電気機器に対して給電遮断機能を具備し、計測部２１、遮断部２２、表示部２３、処理部２５、タイマー部２６および通信部２７は以下の機能を呈する。
【００２３】
計測部２１は、コンセントＡ1〜Ａ4に印加される電流および電圧や、コンセントＡ1〜Ａ4に接続される電気機器の積算電力および瞬時電力を測定する。遮断部２２は、計測部２１から出力される測定データが、コンセントＡ1〜Ａ4ごとに設定された閾値以上となった時点で電気機器への給電を遮断する。表示部２３は、前述したように筐体１１のコンセントＡ1〜Ａ4の内周側に配されたランプＢ1〜Ｂ4を有し（図２参照）、計測部２１から出力される測定データがコンセントＡ1〜Ａ4の閾値以上となったことをランプＢ1〜Ｂ4の点灯あるいは点滅により警告する。タイマー部２６は、時刻を計測する。通信部２７は、外部機器との間でデータを送受信する。処理部２５は、計測部２１、遮断部２２、表示部２３、タイマー部２６および通信部２７を所定のアルゴリズムに従って制御する。
【００２４】
以上の構成を具備した配電装置では、処理部２５により、コンセント単体の閾値に基づいてコンセントＡ1〜Ａ4の給電遮断を実行した上で、コンセント全体の閾値に基づいてコンセントＡ1〜Ａ4の給電遮断をコンセントＡ1〜Ａ4の優先順位に従って実行するように遮断部２２を制御する。これにより、それぞれのコンセントＡ1〜Ａ4に接続された各電気機器の種別に合致した最適な給電制御を実現することができる。
【００２５】
図３は、コンセント単体の閾値に基づいてコンセントＡ1〜Ａ4の給電遮断を実行した上で、コンセント全体の閾値に基づいてコンセントＡ1〜Ａ4の給電遮断をコンセントＡ1〜Ａ4の優先順位に従って実行するアルゴリズムを示す。ここで、コンセント単体とは一つのコンセントを意味し、コンセント全体とは全てのコンセントの合計を意味する。
【００２６】
まず、コンセント単体の閾値、コンセント全体の閾値、コンセントＡ1〜Ａ4の優先順位およびコンセントＡ1〜Ａ4の遮断時間を設定する（STEP１）。各コンセント単体について、電流、電圧、積算電力および瞬時電力を計測部で測定し（STEP２）、コンセント単体の閾値を超過するコンセントＡ1〜Ａ4があるか否かを処理部２５で判断する（STEP３）。コンセント単体の閾値を超過するコンセントＡ1〜Ａ4がある場合、そのコンセントＡ1〜Ａ4の表示部２３のランプＢ1〜Ｂ4を点灯あるいは点滅させることにより警告する（STEP４）。そのコンセント単体の閾値を超過する時間を計測部２１で測定し（STEP５）、その超過時間が予め設定された遮断時間を超えているか否かを処理部２５で判定し（STEP６）、遮断時間を超えた場合にそのコンセントＡ1〜Ａ4を遮断部２２により遮断する（STEP７）。
【００２７】
ここまでは、配電装置におけるコンセント単体で閾値を超過する場合である。さらに、各コンセント単体の閾値を超過することはないが、配電装置におけるコンセント全体の閾値を超過する場合について以下のアルゴリズムに従って制御する。
【００２８】
前述のようにしてコンセント単体の閾値に基づいてコンセントＡ1〜Ａ4の給電遮断を実行した上で、コンセント全体の電流、電圧、積算電力および瞬時電力を計測部２１で測定し（STEP８）、コンセント全体の閾値を超過しているか否かを処理部２５で判断する（STEP９）。コンセント全体の閾値が超過している場合、予め設定されたコンセントＡ1〜Ａ4の優先順位に従ってコンセントＡ1〜Ａ4を抽出し（STEP１０）、コンセントＡ1〜Ａ4の優先順位に従ってそのコンセントＡ1〜Ａ4の表示部２３のランプＢ1〜Ｂ4を点灯あるいは点滅させることにより警告する（STEP１１）。コンセント全体の閾値を超過する時間を計測部２１で測定し（STEP１２）、その超過時間が予め設定された遮断時間を超えているか否かを処理部２５で判定し（STEP１３）、遮断時間を超えた場合にコンセントＡ1〜Ａ4の優先順位に従ってそのコンセントＡ1〜Ａ4を遮断部２２により遮断する（STEP１４）。
【００２９】
ここで、優先順位の高いコンセントＡ1〜Ａ4には、電源供給が遮断されることを望まない電気機器が接続されており、優先順位の低いコンセントＡ1〜Ａ4には、電源供給が一時的に遮断されても差支えがない電気機器が接続されているとした場合、前述のようにコンセント全体の閾値が超過していると、その優先順位の低いコンセントＡ1〜Ａ4から順に遮断していくことになる。
【００３０】
遮断部２２をコンセントＡ1〜Ａ4ごとに制御する処理部２５は、給電遮断に関するコンセントＡ1〜Ａ4の優先順位を複数個のコンセントＡ1〜Ａ4に対して個別に設定変更可能としている。このように、遮断部２２をコンセントＡ1〜Ａ4ごとに制御する処理部２５では、給電遮断に関するコンセントＡ1〜Ａ4の優先順位を複数個のコンセントＡ1〜Ａ4に対して個別に設定変更可能としたことにより、多種に亘る電気機器の種別に応じてその電気機器への給電状態を任意に制御することができ、それぞれのコンセントＡ1〜Ａ4に接続された各電気機器の種別に合致した最適な給電制御を実現することができる。
【００３１】
この処理部２５は、コンセントＡ1〜Ａ4の閾値を複数個のコンセントＡ1〜Ａ4に対して個別に設定変更可能とし、また、そのコンセントＡ1〜Ａ4の閾値に基づいて給電遮断を完了するまでの遮断時間を複数個のコンセントＡ1〜Ａ4に対して個別に設定変更可能としている。これにより、コンセントＡ1〜Ａ4の閾値や、そのコンセントＡ1〜Ａ4の閾値に基づいて給電遮断を完了するまでの遮断時間についても、それぞれのコンセントＡ1〜Ａ4に接続された各電気機器の種別に合致した最適制御を実現することができる。
【００３２】
この処理部２５は、給電遮断に関するコンセントＡ1〜Ａ4の優先順位、および給電遮断を完了するまでの遮断時間を含む情報を外部機器との間で送受信可能としている。これにより、給電遮断に関するコンセントＡ1〜Ａ4の優先順位、および給電遮断を完了するまでの遮断時間を含む各種情報に基づいて、他の配電装置を含む外部機器との相互間で、給電遮断の発生状況を把握して保存データを必要に応じて更新することが可能となる。
【００３３】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００３４】
２２  遮断部
２５  処理部
Ａ1〜Ａ4  コンセント
【図１】
0005752453.tif 000002
【図２】
0005752453.tif 000003
【図３】
0005752453.tif 000004